(57)【要約】【課題】リモートコントローラーの利便性を向上させた空気調和装置の室内機を提供することを目的としている。【解決手段】複数のスイッチが表示される表示部を備えたリモートコントローラーを有する空気調和装置の室内機において、リモートコントローラーは、表示部に表示されたスイッチの操作回数を記憶する記憶部と、当該記憶された操作回数に基づいて、スイッチの色と、スイッチの表示サイズ、スイッチの表示位置、及びスイッチの表示形状のうちの少なくとも１つとを表示変更する制御処理部とを有する。【選択図】図９
2014055743.tif 000002
【特許請求の範囲】
【請求項１】
複数のスイッチが表示される表示部を備えたリモートコントローラーを有する空気調和装置の室内機において、
前記リモートコントローラーは、
前記表示部に表示された前記スイッチの操作回数を記憶する記憶部と、
当該記憶された操作回数に基づいて、前記スイッチの色と、前記スイッチの表示サイズ、前記スイッチの表示位置、及び前記スイッチの表示形状のうちの少なくとも１つとを表示変更する制御処理部とを有する
ことを特徴とする空気調和装置の室内機。
【請求項２】
前記制御処理部は、
前記スイッチが操作させると、
空調対象空間の温度と湿度とを関連付けて当該スイッチの操作回数を前記記憶部に記憶する
ことを特徴とする請求項１に記載の空気調和装置の室内機。
【請求項３】
前記制御処理部は、
空調対象空間の温度と湿度との関連で、操作回数が相対的に多い前記スイッチの表示変更を行う
ことを特徴とする請求項２に記載の空気調和装置の室内機。
【請求項４】
前記記憶部は、
複数に区分された温度範囲と複数に区分された湿度範囲との組み合わせからなるテーブルが格納され、
当該格納された前記テーブルに、空調対象空間の温度と湿度とを関連付けて前記スイッチの操作回数を記憶している
ことを特徴とする請求項２又は３に記載の空気調和装置の室内機。
【請求項５】
前記制御処理部は、
前記スイッチが操作させると、
空調対象空間の人数と人口密度とを関連付けて当該スイッチの操作回数を前記記憶部に記憶する
ことを特徴とする請求項１に記載の空気調和装置の室内機。
【請求項６】
前記制御処理部は、
空調対象空間の人数と人口密度との関連で、操作回数が相対的に多い前記スイッチの表示変更を行う
ことを特徴とする請求項５に記載の空気調和装置の室内機。
【請求項７】
前記記憶部は、
複数に区分された人数の範囲と複数に区分された人口密度の範囲との組み合わせからなるテーブルが格納され、
当該格納された前記テーブルに、空調対象空間の人数と人口密度とを関連付けて前記スイッチの操作回数を記憶している
ことを特徴とする請求項５又は６に記載の空気調和装置の室内機。
【請求項８】
前記制御処理部は、
前記スイッチが操作させると、
時間帯と月日とを関連付けて当該スイッチの操作回数を前記記憶部に記憶する
ことを特徴とする請求項１に記載の空気調和装置の室内機。
【請求項９】
前記制御処理部は、
時間帯と月日との関連で、操作回数が相対的に多い前記スイッチの表示変更を行う
ことを特徴とする請求項８に記載の空気調和装置の室内機。
【請求項１０】
前記記憶部は、
複数に区分された時間帯と複数に区分された月日の範囲との組み合わせからなるテーブルが格納され、
当該格納された前記テーブルに、時間帯と月日とを関連付けて前記スイッチの操作回数を記憶している  
ことを特徴とする請求項８又は９に記載の空気調和装置の室内機。
【請求項１１】
複数のスイッチが表示される表示部を備え、空気調和装置の室内機を制御するリモートコントローラーにおいて、
前記リモートコントローラーは、
前記表示部に表示された前記スイッチの操作回数を記憶する記憶部と、
当該記憶された操作回数に基づいて、前記スイッチの色と、前記スイッチの表示サイズ、前記スイッチの表示位置、及び前記スイッチの表示形状のうちの少なくとも１つとを変更する制御処理部とを有する
ことを特徴とするリモートコントローラー。
【発明の詳細な説明】
【技術分野】
【０００１】
本発明は、リモートコントローラー及びそれを備えた空気調和装置の室内機に関するものである。
【背景技術】
【０００２】
従来から、設定温度、風量、及び冷暖房などの運転条件を設定する操作スイッチを有するリモートコントローラー（以下、リモコンとも称する）を有する空気調和装置の室内機が各種提案されている（特許文献１参照）。特許文献１に記載の技術は、現在温度や現在の運転条件などを表示する表示部の下側に、操作スイッチが設けられている。
【０００３】
また、音量などの調整をするためのスイッチを表示したり、車内のエアコンの温度設定をするためのスイッチを表示したりし、オーディオや空調といった目的に応じたスイッチを表示する表示装置（タッチパネルなど）を有する車室内表示装置（カーナビ）が提案されている（たとえば、特許文献２参照）。
特許文献２に記載の技術は、操作頻度の高いスイッチを濃く表示したり、操作頻度の高いスイッチを目立つ色で表示したりすることで、利便性を向上させている。
【先行技術文献】
【特許文献】
【０００４】
【特許文献１】特開２００３−３４３９０２号公報（たとえば、請求項１及び図２参照）
【特許文献２】特開２００２−３６２１８８号公報（たとえば、要約書及び図２参照）
【発明の概要】
【発明が解決しようとする課題】
【０００５】
特許文献１に記載の技術は、リモコンに設けられたスイッチの配置及びスイッチのサイズは固定されている。ここで、ユーザーごとに頻繁に使用する機能が異なる場合があることから、使用頻度が高いリモコンのスイッチも異なることとなる。たとえば、あるユーザーにとって使用頻度の高いスイッチがあったとき、当該スイッチが、その他の複数のスイッチに紛れ込むように設けられていると、当該スイッチがどこにあるかを判別しにくく、ユーザーの利便性を損ねてしまう。
すなわち、特許文献１に記載の技術は、リモコンに設けられたスイッチの配置及びスイッチのサイズは固定されているため、ユーザーの利便性を損ねてしまうという課題があった。
【０００６】
また、特許文献２に記載の技術は、車などの車両を対象としているものであり、特定のユーザーが使用することを前提としている。ここで、ビルに設置された空気調和装置のように不特定のユーザーに利用される場合には、操作頻度の高いスイッチを濃く表示するなどだけでは、利便性を充分に確保することができない可能性がある。たとえば、あるユーザーにとってはスイッチの色が赤であるより青である方が目立つ場合もあれば、逆の場合もありうるからである。
【０００７】
本発明は、上記のような課題を解決するためになされたもので、利便性を向上させたリモートコントローラー及びそれを備えた空気調和装置の室内機を提供することを目的としている。
【課題を解決するための手段】
【０００８】
本発明に係る空気調和装置の室内機は、リモートコントローラーは、表示部に表示されたスイッチの操作回数を記憶する記憶部と、当該記憶された操作回数に基づいて、スイッチの色と、スイッチの表示サイズ、スイッチの表示位置、及びスイッチの表示形状のうちの少なくとも１つとを表示変更する制御処理部とを有するものである。
【発明の効果】
【０００９】
本発明の空気調和装置の室内機によれば、操作回数に基づいてスイッチの表示サイズ、スイッチの表示位置、又はスイッチの表示形状を変更するので、頻繁に使用するスイッチが操作しやすくなり、リモートコントローラーの利便性を向上させることができる。
【図面の簡単な説明】
【００１０】
【図１】本発明の実施の形態に係る空気調和装置の室内機及びリモコンのシステム構成の一例である。
【図２】本発明の実施の形態に係る空気調和装置の室内機のリモコンの外観の模式図である。
【図３】制御処理部の制御例を表すマトリクスである。
【図４】制御処理部の制御の処理方法の説明図である。
【図５】表示部のスイッチの表示サイズを変更した状態についての説明図である。
【図６】表示部のスイッチの表示位置を変更した状態についての説明図である。
【図７】表示部のスイッチの表示形状を変更した状態についての説明図である。
【図８】表示部のスイッチの表示色を変更した状態についての説明図である。
【図９】制御処理部の制御例を示すフローチャートである。
【図１０】制御処理部の制御例を表すマトリクスの変形例１である。
【図１１】図１０に示す制御処理部の制御の処理方法の説明図である。
【図１２】制御処理部の制御例を表すマトリクスの変形例２である。
【図１３】図１２に示す制御処理部の制御の処理方法の説明図である。
【発明を実施するための形態】
【００１１】
実施の形態．
以下、本発明に係る空気調和装置の室内機の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
本実施の形態に係る空気調和装置の室内機４は、ユーザーからの入力を受け付け、当該受け付けた情報を室内機４に出力するリモートコントローラー１（以下、リモコン１と称する）の表示方法に改良が加えられたものである。
【００１２】
［構成説明］
図１は、実施の形態に係る空気調和装置の室内機及びリモコンのシステム構成の一例である。図２は、実施の形態に係る空気調和装置の室内機のリモコンの外観の模式図である。図１及び図２を参照して、空気調和装置の室内機などの構成について説明する。
実施の形態に係る空気調和装置のシステム構成は、少なくとも室内機４及びリモコン１によって構成されている。
室内機４とリモコン１とは、電送線５を介して接続されている。なお、リモコン１と室内機４との接続方法は、有線であっても無線であってもよく、特に限定されるものではないが、本実施の形態では電送線５（有線）を介して接続されているものとして説明する。なお、実施の形態に係る空気調和装置は、圧縮機などが搭載された室外機を有しているが図示を省略している。
【００１３】
室内機４は、空調対象空間（たとえば、室内、ビルの一室、倉庫など）に空調空気を供給するものである。より詳細には、室内機４は、空気を吸い込む吸込口及び空調空気を空調対象空間に供給する吹出口を有する本体、凝縮器又は蒸発器として機能する室内熱交換器、及び室内熱交換器に供給される冷媒と熱交換する空気を供給する送風ファンなどを有しているものである。
また、室内機４は、リモコン１の出力、及び、後述するセンサ１０５などの検出結果に基づいて、室内機４の送風ファンや室外機の圧縮機などを制御する制御装置１０６を有している。
さらに、室内機４は、空調対象空間の環境情報を検出するセンサ１０５を有している。
【００１４】
制御装置１０６は、リモコン１との間におけるデータのやり取り、及び、センサ１０５の検出結果などに基づいて、各種機器の統括制御を行うものである。制御装置１０６は、たとえば、室内機４の送風ファンの回転数、図示省略の室外機の圧縮機の回転数、絞り装置の開度、四方弁の切り換えなどの制御を実施する。制御装置１０６は、センサ１０５及び後述する通信部１０１に接続されている。制御装置１０６は、たとえばマイコンなどで構成するとよい。
【００１５】
センサ１０５は、空調対象空間の環境情報として、空調対象空間の温度及び湿度を検出するものである。センサ１０５は、制御装置１０６に接続されている。なお、本実施の形態では、センサ１０５が空調対象空間の温度及び湿度を検出するセンサであるものとして説明するが、それに限定されるものではない。たとえば、温度センサの代わりに、照度センサなどを採用してもよい。或いは、後述する変形例１にて述べるように、部屋に人間がいるか否かを検出する人感センサなどを採用してもよい。
【００１６】
リモコン１は、ユーザーから、冷房及び暖房などの運転モード、空調対象空間の設定温度、設定風量、及び設定風向などの設定を受け付け、室内機４に出力するものである。リモコン１は、電送線５を介して室内機４に接続されており、室内機４と通信することができるようになっている。また、リモコン１は、電送線５を介して室内機４側から給電がなされるようになっている。
【００１７】
リモコン１は、各種制御を実施する制御処理部１００と、室内機４の制御装置１０６と通信を行う通信部１０１と、各種データを記憶する記憶部１０２と、ユーザーからの入力を受け付ける操作入力部１０３と、実施している運転モードなどを表示する表示部１０４と、を有している。
なお、図１に示す上述の操作入力部１０３はスイッチ３ａ〜３ｄに対応し、表示部１０４は図２の液晶表示部２に対応している。
すなわち、図１ではリモコン１のシステム構成について示しているが、図２ではリモコン１のハード面について示したものであり、表示部１０４と液晶表示部２が対応し、操作入力部１０３とスイッチ３ａ〜３ｄが対応しているということである。
【００１８】
制御処理部１００は、操作入力部１０３からの出力を、記憶部１０２に収められたデータなどを利用して処理し、当該処理結果を表示部１０４及び通信部１０１に出力するものである。また、制御処理部１００は、制御装置１０６から出力された室内機４のセンサ１０５の検出結果（データ）を、通信部１０１を介して受け取るものである。なお、制御処理部１００は、この受け取ったデータを記憶部１０２に出力し、記憶部１０２に記憶させておく。制御処理部１００は、通信部１０１、操作入力部１０３、表示部１０４、及び記憶部１０２に接続されている。
たとえば、スイッチ３ａ〜３ｄのうちスイッチ３ｄの操作頻度が高い場合には、制御処理部１００は、ユーザーがスイッチ３ｄを押しやすいように、表示サイズ、表示位置、表示形状、及び表示される色などの変更を行う。この操作頻度に応じたスイッチ３ａ〜３ｄの表示変更については、後述の図４〜図９で詳しく説明する。
その他に、制御処理部１００は次のような動作をする。たとえば、ユーザーが、操作入力部１０３より空調対象空間の設定温度を上げる設定を実施したとする。この場合には、制御処理部１００は、操作入力部１０３からの出力を処理し、設定温度が上昇したことを表示するように、表示部１０４に対して出力する。また、制御処理部１００は、設定温度を上昇させることに対応する出力を通信部１０１にする。
【００１９】
通信部１０１は、室内機４の制御装置１０６に接続されており、リモコン１側と室内機４側との間の通信を行うものである。通信部１０１は、制御装置１０６及び制御処理部１００に接続されている。
たとえば、ユーザーから操作入力部１０３より設定温度を上昇させる入力がなされると、制御処理部１００でデータが処理されて通信部１０１に当該処理されたデータが出力される。通信部１０１は、制御処理部１００より出力されたデータを室内機４の制御装置１０６に出力する。なお、制御装置１０６は、この出力を受け付けると、図示省略の室外機に設けられた圧縮機の回転数、及び絞り装置の開度調整などの制御を実施する。
また、通信部１０１は、室内機４の制御装置１０６からセンサ１０５の検出結果が出力されると、この出力を制御処理部１００に出力する。
【００２０】
記憶部１０２は、たとえば、予め設定される温度範囲であるとともに、予め設定される湿度範囲におけるスイッチ３ａ〜３ｄの操作頻度のデータなどを記憶しているものである（図３及び図４参照）。記憶部１０２は、制御処理部１００に接続されている。
【００２１】
操作入力部１０３は、リモコン１の液晶表示部２に表示されたスイッチ３ａ〜３ｄに対応するものである。なお、操作入力部１０３は、制御処理部１００からの出力に基づいて、スイッチ３ａ〜３ｄの表示サイズ、表示位置、表示形状、及び表示される色などの変更がなされるものである。
【００２２】
表示部１０４は、液晶表示部２に対応するものであり、空調対象空間の温度及び湿度などを表示したり、制御処理部１００の出力に基づいてスイッチ３ａ〜３ｄを表示したりするものである（図４参照）。表示部１０４は、制御処理部１００に接続されている。なお、液晶表示部２は、たとえば、ドットマトリクス方式の表示パネルなどで構成するとよい。
【００２３】
［制御処理部１００等の詳細説明］
図３は、制御処理部１００の制御例を表すマトリクスである。図３を参照して、制御処理部１００等の構成及び処理について詳しく説明する。
制御処理部１００は、図３に示すマトリクス（テーブル）のように、予め設定される温度範囲及び予め設定される湿度範囲ごとに、スイッチ３ａ〜３ｄの操作回数を、記憶部１０２に記憶させることができる。なお、記憶部１０２の記憶するデータの形式は、特に限定されるものではなく、図３に示すマトリクス（テーブル）の形式以外でもよい。
【００２４】
本実施の形態では、図３に示すように、予め設定される温度範囲として、「１０度以下」、「１１度〜１５度」、「１６度〜２０度」、「２１度〜２５度」、「２６度〜３０度」、及び「３１度以上」が設定されているものとして説明する。また、予め設定される湿度範囲として、「４０％以下」、「４１〜７０％」、及び「７１％以上」が設定されているものとして説明する。
したがって、記憶部１０２に記憶されるデータは、６つの温度範囲×３つの湿度範囲＝１８つに区別される。そして、記憶部１０２は、この１８つのそれぞれについて、スイッチ３ａ〜３ｄの操作回数に関するデータを有している（図４（ｃ）参照）。
なお、図３における温度範囲及び湿度範囲は、一例であり、たとえば環境などに応じて業者などが決定してよい。
【００２５】
図４は、制御処理部１００の制御の処理方法の説明図である。なお、図４（ａ）は、液晶表示部２の表示例について示した図であり、図４（ｂ）が現在の温度及び湿度に対応する温度範囲及び湿度範囲のデータを黒丸で強調したマトリクスを示す説明図である。また、図４（ｃ）は、現在の温度及び湿度に対応する温度範囲及び湿度範囲のスイッチ３ａ〜３ｄの操作回数の説明図である。なお、図４の説明では、空調対象空間が室内であるものとして説明する。
【００２６】
図４（ａ）に示すように、リモコン１の液晶表示部２には、「室内温度」及び「室内湿度」が表示されているとともに、次の用途のスイッチ３ａ〜３ｄが表示されている。すなわち、液晶表示部２には、ユーザーが入力することができるスイッチとして、「冷房を実施するスイッチ３ａ」、「暖房を実施するスイッチ３ｂ」、「風速を変更するスイッチ３ｃ」、「風向を変更するスイッチ３ｄ」が表示されている。
【００２７】
なお、図４では、スイッチ３ａ〜３ｄの表示サイズは同じである。また、スイッチ３ａ〜３ｄの表示位置は、ともに、液晶表示部２の下の縁に沿うように表示され、左からスイッチ３ａ、スイッチ３ｂ、スイッチ３ｃ及びスイッチ３ｄが配置されている。また、スイッチ３ａ〜３ｄの表示形状は、ともに、角が丸められた略正方形形状である。さらに、スイッチ３ａ〜３ｄの表示色及びその濃淡は、同じである。
【００２８】
ユーザーが冷房を実施するスイッチ３ａを入力した場合について説明する。また、空調対象空間の環境であるが、センサ１０５の検出結果より、室内温度が３５度（符号８ａ参照）、室内湿度が６５％（符号８ｂ参照）となっている。
この場合には、制御処理部１００は、記憶部１０２に格納されたデータのうち、温度範囲が「３１度以上」且つ湿度範囲が「７１％以上」であるスイッチ３ａ〜３ｄの操作回数データを参照する（図４（ｂ）参照）。
ここで、図４（ｃ）に示すように、この参照したデータが、「スイッチ３ａの操作回数が１２０回」、「スイッチ３ｂの操作回数が０回」、「スイッチ３ｃの操作回数が１００回」及び「スイッチ３ｄの操作回数が９０回」であることを示すものとなっている。
そこで、制御処理部１００は、スイッチ３ａが入力されたため、スイッチ３ａの操作回数を１回増やして、１２１回とする処理を実施する。
なお、制御処理部１００は、各種演算などにおける小数点がある場合には、たとえば４捨５入をして数値を設定するとよい。すなわち、室内湿度が、たとえば７０．６％である場合には、室内湿度が７１％であるものとして処理するということである。
【００２９】
［スイッチ３ａ〜３ｄの表示変更］
図５は、液晶表示部２のスイッチ３ａ〜３ｄの表示サイズを変更した状態についての説明図である。図６は、液晶表示部２のスイッチ３ａ〜３ｄの表示位置を変更した状態についての説明図である。図７は、液晶表示部２のスイッチ３ａ〜３ｄの表示形状を変更した状態についての説明図である。図８は、液晶表示部２のスイッチ３ａ〜３ｄの表示色を変更した状態についての説明図である。
【００３０】
まず、図５に示すスイッチ３ａ〜３ｄのサイズ変更をする例について説明する。  
制御処理部１００には、スイッチ３ａ〜３ｄごとに、操作回数の閾値が設定されている。制御処理部１００は、この設定された閾値と、図４で説明したスイッチ３ａ〜３ｄの操作回数とを比較して、スイッチ３ａ〜３ｄの表示方法を変更する。
スイッチ３ａ〜３ｄには、第１の閾値として２０回、第２の閾値として４０回、第３の閾値として６０回が設定されているものとする。そして、第１の閾値、第２の閾値及び第３の閾値を超えるごとに、スイッチ３ａ〜３ｄの表示サイズが大きくなるものとする。
ここで、たとえばスイッチ３ａの操作回数が１０回、スイッチ３ｂ、３ｃの操作回数が５０回、スイッチ３ｄの操作回数が１００回であったとする。
この場合には、図５に示すように、制御処理部１００は、スイッチ３ａを幅が短い略長方形の表示とする。また、制御処理部１００は、スイッチ３ｂ、３ｃをスイッチ３ａよりも幅が長い略長方形の表示とし、さらに、スイッチ３ｄをスイッチ３ｂ、３ｃよりも幅が長い略長方形の表示とする。
【００３１】
次に、図６に示すスイッチ３ａ〜３ｅの表示位置変更をする例について説明する。
液晶表示部２に表示されるスイッチとして、スイッチ３ａ〜３ｄに加えて、スイッチ３ｅが表示されているものとする。このスイッチ３ｅは、たとえば、設定時間が経過すると自動的に運転を停止するためのスイッチであるものとする。
スイッチ３ｅの表示位置は、スイッチ３ａの上側である。そして、スイッチ３ｅは、近接したスイッチがないことから、スイッチ３ａ〜３ｄと比較するとユーザーの目につきやすい位置に表示されているといえる。
スイッチ３ａ〜３ｅには、第１の閾値として２０回、第２の閾値として４０回、第３の閾値として６０回が設定されているものとする。ここで、たとえばスイッチ３ａ〜３ｃの操作回数が５０回、スイッチ３ｄの操作回数が１００回、スイッチ３ｅの操作回数が１０回であったとする。
この場合には、図６に示すように、制御処理部１００は、操作回数が第１の閾値未満であり、操作頻度が低いスイッチ３ｅの表示位置と、操作回数が第３の閾値以上であり、操作頻度の高いスイッチ３ｄの表示位置とを入れ替える。
【００３２】
次に、図７に示すスイッチ３ａ〜３ｄの表示形状変更をする例と、図８に示す表示色変更をする例について説明する。  
スイッチ３ａ〜３ｄには、第１の閾値として２０回のみが設定されているものとする。  ここで、たとえばスイッチ３ａ〜３ｃの操作回数が１０回、スイッチ３ｄの操作回数が３０回であったとする。
この場合には、図７に示すように、制御処理部１００は、操作回数が第１の閾値以上であり、操作頻度が高いスイッチ３ｄの表示形状を２重枠形状に変化させ、或いは、図８に示すようにスイッチ３ｄの表示色を濃くしている。
なお、図７では、操作頻度の高いスイッチ３ｄを、２重枠スイッチに変更する場合を例に説明したが、太枠スイッチ、星型スイッチ及び吹き出し型スイッチなどを採用してもよい。また、図８では、操作頻度の高いスイッチ３ｄの色の濃淡を変化させたが、それに限定されるものではなく、暖色系の色に変化させるようにしてもよい。
【００３３】
このように、制御処理部１００は、スイッチ３ａ〜３ｄの操作回数が、予め設定される閾値を超えた場合に、表示サイズ、表示位置、表示形状及び表示色を変更する。すなわち、制御処理部１００は、空調対象空間の環境情報（温度と湿度、人数と人口密度、時間帯と月日）を関連付けて、スイッチ３ａ〜３ｄの操作回数を記憶部１０２に記憶する。そして、制御処理部１００は、この環境情報の関連で、操作回数が相対的に多いスイッチ３ａ〜３ｄの表示変更を行うということである。
ここで、制御処理部１００は、表示サイズ、表示位置、表示形状及び表示色の４つ全てを変更して、よりユーザーに対して目立たせるようにしてもよいし、組み合わせてもよい。たとえば、制御処理部１００は、表示変更にあたり、表示色を変更し、それに加えて、表示サイズ、表示位置及び表示形状のうちの少なくとも１つを変更するようにすることで、より効率的にユーザーに対して、操作頻度の高いスイッチを示すことができる。
【００３４】
［制御処理部１００の動作説明］
図９は、図１に示す制御処理部１００の制御例を示すフローチャートである。図９を参照して制御処理部１００の行う処理などについて説明する。なお、以下に説明する制御処理部１００の実施するスイッチ３ａ〜３ｄの表示変更の制御を、表示変更制御とも称するものとする。
【００３５】
（ステップＳ１）
制御処理部１００は、表示変更制御を開始する。
【００３６】
（ステップＳ２）
制御処理部１００は、スイッチ３ａ〜３ｄの操作があったか否かを判定する。
スイッチ３ａ〜３ｄの操作があった場合には、ステップＳ３に移る。
スイッチ３ａ〜３ｄの操作がなかった場合には、ステップＳ１に戻る。
【００３７】
（ステップＳ３）
制御処理部１００は、室内機４側から出力されたセンサ１０５の検出結果が、どの温度及び湿度の範囲に属するかを判定し、ステップＳ４に移る。
【００３８】
（ステップＳ４）
制御処理部１００は、ステップＳ３で判定した温度及び湿度の範囲におけるスイッチ３ａ〜３ｄの操作回数を算出する。
そして、制御処理部１００は、属している温湿度の範囲におけるスイッチ３ａ〜３ｄのこれまでの総操作回数に、本ステップＳ４で算出した操作回数を加えたものを、現在の操作回数とする。
【００３９】
（ステップＳ５）
制御処理部１００は、操作されたスイッチ３ａ〜３ｄのうち、ステップＳ４の現在の操作回数が、予め設定される閾値（たとえば、１００回）より大きいか否かを判定する。
操作されたスイッチ３ａ〜３ｄのうちのいずれかの操作回数が、上記の閾値より大きい場合にはステップＳ６に移る。
操作されたスイッチ３ａ〜３ｄのうちのいずれの操作回数も、上記の閾値より大きくない場合にはステップＳ１に戻る。
【００４０】
（ステップＳ６）
制御処理部１００は、スイッチ３ａ〜３ｄのうち、操作回数が閾値よりも大きいものに対して表示変更を実施する。
たとえば、スイッチ３ｄの操作回数が閾値よりも大きい場合には、制御処理部１００は、スイッチ３ｄに対して表示サイズ（図５参照）、表示位置（図６参照）、及び表示形状（図７参照）のうちの少なくとも１つの変更を行う。この変更に加えて、制御処理部１００は、スイッチ３ｄの色の変更（色の濃淡を含む）を実施してもよい（図８参照）。
【００４１】
［変形例１］
図１０は、制御処理部１００の制御例を表すマトリクスの変形例１である。図１１は、図１０に示す制御処理部の制御の処理方法の説明図である。図１０及び図１１を参照して、図３及び図４とは異なる環境情報によって、表示変更制御を実施する方法を説明する。
【００４２】
上記では、温度及び湿度を環境情報として、表示変更制御を実施したが、以下に述べるように時間及び月日を環境情報としてもよい。すなわち、制御処理部１００は、図１０に示すマトリクス（テーブル）のように、予め設定される時間範囲（時間帯）及び予め設定される月日の範囲ごとに、スイッチ３ａ〜３ｄの操作回数を、記憶部１０２に記憶させることができるということである。
【００４３】
図１０に示すように、予め設定される時間範囲として、「０時〜６時」、「６時〜９時」、「９時〜１２時」、「１２時〜１５時」、「１５時〜１８時」、及び「１８時〜２４時」の計６つの範囲が設定されているものとして説明する。
また、予め設定される月日の範囲として、「１月、２月」、「３月、４月」、「５月、６月」、「７月、８月」、「９月、１０月」、及び「１１月、１２月」の計６つの範囲が設定されているものとして説明する。
したがって、記憶部１０２に記憶されるデータは、６つの時間範囲×６つの月日の範囲＝３６つに区別される。そして、記憶部１０２は、この３６つのそれぞれについて、スイッチ３ａ〜３ｄの操作回数に関するデータを有している（図１１（ｃ）参照）。
【００４４】
図１１（ａ）に示すように、リモコン１の液晶表示部２には、「現在時刻」及び「日付」が表示されているとともに、「冷房を実施するスイッチ３ａ」、「暖房を実施するスイッチ３ｂ」、「風速を変更するスイッチ３ｃ」、「風向を変更するスイッチ３ｄ」が表示されている。
【００４５】
ここで、ユーザーが暖房を実施するスイッチ３ｂを入力した場合について説明する。また、制御処理部１００にて計測されている現在時刻が１７時３０分（図１１（ａ）の符号１０ｂ参照）であり、日付が９月２０日（図１１（ａ）の符号１０ａ参照）となっている。
この場合には、制御処理部１００は、記憶部１０２に格納されたデータのうち、時間範囲が「１５時〜１８時」、且つ、月日の範囲が「９月、１０月」であるスイッチ３ａ〜３ｄの操作回数データを参照する（図１１（ｂ）参照）。
図１１（ｃ）に示すように、この参照したデータが、「スイッチ３ａの操作回数が１０回」、「スイッチ３ｂの操作回数が１２０回」、「スイッチ３ｃの操作回数が１０回」及び「スイッチ３ｄの操作回数が３０回」であることを示すものとなっている。
そこで、制御処理部１００は、スイッチ３ｂが入力されたため、スイッチ３ｂの操作回数を１回増やして、１２１回とする処理を実施する。
【００４６】
変形例１においても表示変更の方法は、図５〜図８で説明した内容と同様である。すなわち、制御処理部１００には、スイッチ３ａ〜３ｄごとに、操作回数の閾値が設定されている。制御処理部１００は、この設定された閾値と、図１１で説明したスイッチ３ａ〜３ｄの操作回数とを比較して、スイッチ３ａ〜３ｄの表示方法を変更するということである。
また、変形例１における制御処理部１００の動作も、図９で説明した内容と同様である。すなわち、温度及び湿度を、時間及び月日に置き換えればよいということである。
【００４７】
なお、月・時間ごとに分けて操作回数のデータを記憶するようにしているので、季節・昼夜ごとに操作内容が異なる場合でも、それぞれに合わせたデータを記憶することができる。
【００４８】
［変形例２］
図１２は、制御処理部１００の制御例を表すマトリクスの変形例２である。図１３は、図１２に示す制御処理部の制御の処理方法の説明図である。
部屋の最大人員数及び人の密度を環境情報としてもよい。すなわち、制御処理部１００は、図１２に示すマトリクス（テーブル）のように、予め設定される最大人員数及び予め設定される人の密度の範囲ごとに、スイッチ３ａ〜３ｄの操作回数を、記憶部１０２に記憶させることができるということである。
【００４９】
図１２に示すように、予め設定される時間範囲として、「４人以下」、「５人〜８人」、「９人〜１６人」、「１７人から３２人」、「３３人から６４人」、「６５人〜１２８人」、及び「１２９人以上」の計７つの範囲が設定されているものとして説明する。
また、予め設定される人の密度の範囲として、「２０％以下」、「２１％〜４０％」、「４１％〜６０％」、「６１％〜８０％」、「８１％以上」の計５つの範囲が設定されているものとして説明する。
したがって、記憶部１０２に記憶されるデータは、７つの最大収容人員数の範囲×５つの人の密度の範囲＝３５つに区別される。そして、記憶部１０２は、この３５つのそれぞれについて、スイッチ３ａ〜３ｄの操作回数に関するデータを有している（図１３（ｃ）参照）。
【００５０】
図１３（ａ）に示すように、リモコン１の液晶表示部２には、「最大人員数」、「人口」及び「人の密度」が表示されているとともに、「冷房を実施するスイッチ３ａ」、「暖房を実施するスイッチ３ｂ」、「風速を変更するスイッチ３ｃ」、「換気を実施するスイッチ３ｄ」が表示されている。
ここで、「最大人員数」は、ユーザーや業者が予め設定する数値である。また、「人口」は、たとえば、室内機に搭載された人感センサ（第２検知手段）によって検出される。さらに、「人の密度」は、制御処理部１００が、検出された「人口」÷「最大人員数」を算出することで得ることができる。
【００５１】
ここで、ユーザーが換気を実施するスイッチ３ｄを入力した場合について説明する。また、室内機が設置されている部屋の広さから、「最大人員数」が１６人に設定されており（図１３の符号１２ａ参照）、また、人感センサの検出結果より「人口」が１３人であり（図１３の符号１２ｂ参照）、さらに、「人口」÷「最大人員数」より「人の密度」が８３％となっている（図１３の符号１２ｃ参照）。
この場合には、制御処理部１００は、記憶部１０２に格納されたデータのうち、「最大人員数」の範囲が「９人〜１６人」、且つ、「人の密度」の範囲が「８１％以上」であるスイッチ３ａ〜３ｄの操作回数データを参照する（図１３（ｂ）参照）。
図１３（ｃ）に示すように、この参照したデータが、「スイッチ３ａの操作回数が５０回」、「スイッチ３ｂの操作回数が３０回」、「スイッチ３ｃの操作回数が８０回」及び「スイッチ３ｄの操作回数が１２０回」であることを示すものとなっている。
そこで、制御処理部１００は、スイッチ３ｄが入力されたため、スイッチ３ｄの操作回数を１回増やして、１２１回とする処理を実施する。
【００５２】
変形例２においても表示変更の方法は、図５〜図８で説明した内容と同様である。すなわち、制御処理部１００には、スイッチ３ａ〜３ｄごとに、操作回数の閾値が設定されている。制御処理部１００は、この設定された閾値と、図１３で説明したスイッチ３ａ〜３ｄの操作回数とを比較して、スイッチ３ａ〜３ｄの表示方法を変更するということである。
また、変形例２における制御処理部１００の動作も、図９で説明した内容と同様である。すなわち、温度及び湿度を、「最大人員数」及び「人の密度」に置き換えればよいということである。
【００５３】
このように、人の密度に分けて操作回数のデータを記憶するようにしているので、部屋の広さや、使用人数ごとに操作内容が異なる場合でも、それぞれに合わせたデータを記憶することができる。
【００５４】
本実施の形態では、スイッチ３ａ〜３ｅの操作頻度が、閾値ごとにばらける場合について説明したが、ばらけない場合も想定される。そこで、この場合には、ユーザーが直前に使用したスイッチの表示変更を最優先に実施するようにするとよい。
たとえば、図５の例で説明すれば、スイッチ３ａ〜３ｄの操作回数が、６０回以上であり、いずれも第３の閾値を超えている場合が当てはまる。この場合には、ユーザーが直前に使用したスイッチが冷房であるならば、制御処理部１００は、スイッチ３ａの表示変更を実施するということである。
すなわち、制御処理部１００は、操作頻度を前提とした表示変更を実施するという前提があるが、仮にスイッチ３ａ〜３ｄの操作頻度に相対的な差が無ければ、直前に使用したスイッチを再度使用する可能性が高いため、当該スイッチの表示変更を実施するということである。
【００５５】
また、本実施の形態の表示変更では、変形例１及び変形例２も適宜組み合わせてもよいことは言うまでもない。すなわち、本実施の形態では、温度及び湿度による表示変更をする例を説明したが、温度及び湿度による表示変更と、「最大人員数」及び「人の密度」による表示変更とを組み合わせてもよいということである。
たとえば、温度及び湿度による表示変更において、スイッチ３ａ〜３ｅの操作頻度がばらけない場合には、温度及び湿度による表示変更におけるスイッチ３ａ〜３ｅの操作頻度を参照する。それでも、ばらけない場合には、さらに、「最大人員数」及び「人の密度」におけるスイッチ３ａ〜３ｅの操作頻度を参照する。これにより、ユーザーの利便性をより確実に向上させることができる。
【００５６】
［本実施の形態に係る空気調和装置の室内機の有する効果］
本実施の形態に係る空気調和装置の室内機は、操作回数に基づいてスイッチ３ａ〜３ｄの表示サイズ、スイッチ３ａ〜３ｄの表示位置、スイッチ３ａ〜３ｄの表示形状、スイッチ３ａ〜３ｄの表示色を変更するので、頻繁に使用するスイッチを操作しやすくなり、リモコン１の利便性を向上させることができる。
【００５７】
たとえば、スイッチの色を変化させる特許文献２は、カーナビの技術であるため、特定人の使用を前提としており、色の変化だけでも、ユーザーを満足させることができた。しかし、不特定人が利用する空気調和装置では、同様に満足させられるとは限らない。しかし、本実施の形態に係る空気調和装置の室内機は、スイッチ３ａ〜３ｄの表示サイズ、表示位置、表示形状、及び表示色を変更することができるリモコン１を有しているため、ひとつの機種で操作内容の異なるユーザーに対応でき、複数の不特定人を満足させることができる。
【００５８】
スイッチ３ａ〜３ｄの表示を変更できないリモコンの場合には、操作内容の異なるユーザーそれぞれに合わせた機種の開発が必要になる。しかしながら、本実施の形態に係る空気調和装置の室内機は、スイッチ３ａ〜３ｄの表示を変更できるので、リモコン１の開発時間及び費用を抑制することができる。
【符号の説明】
【００５９】
１  リモコン、２  液晶表示部、３ａ〜３ｅ  スイッチ、４  室内機、５  電送線、８ａ、８ｂ  液晶表示、１０ａ、１０ｂ  液晶表示、１２ａ〜１２ｃ  液晶表示、１００  制御処理部、１０１  通信部、１０２  記憶部、１０３  操作入力部、１０４  表示部、１０５  センサ、１０６  制御装置。
【図１】
2014055743.tif 000003
【図２】
2014055743.tif 000004
【図３】
2014055743.tif 000005
【図４】
2014055743.tif 000006
【図５】
2014055743.tif 000007
【図６】
2014055743.tif 000008
【図７】
2014055743.tif 000009
【図８】
2014055743.tif 000010
【図９】
2014055743.tif 000011
【図１０】
2014055743.tif 000012
【図１１】
2014055743.tif 000013
【図１２】
2014055743.tif 000014
【図１３】
2014055743.tif 000015